(57)【要約】【課題】器具や手術セットの管理を容易にすること【解決手段】  システム１０では、第１記憶部１０１は、器具、および、複数の器具で構成された手術セットの各器具にそれぞれ一対一で関連付けられた器具ＩＤを記憶している。第２記憶部１０２は、手術セットに一対一で関連付けられたセットＩＤを記憶している。第３記憶部１０３は、器具ＩＤに関連付けて、当該器具ＩＤで特定される器具の作業履歴を記憶するように構成されている。第４記憶部１０４は、セットＩＤに関連付けて、当該セットＩＤで特定される手術セットの作業履歴を記憶するように構成されている。第１処理部２０１は、器具の稼働率を得るように構成されている。第２処理部２０２は、手術セットの稼働率を得るように構成されている。【選択図】図１
2020003994.tif 000002
【特許請求の範囲】
【請求項１】
器具に一対一で関連付けられた器具ＩＤを記憶した第１記憶部と、
複数の器具で構成された手術セットに一対一で関連付けられたセットＩＤを記憶した第２記憶部と、
前記器具ＩＤに関連付けて、当該器具ＩＤで特定される器具の作業履歴を記憶する第３記憶部と、
前記セットＩＤに関連付けて、当該セットＩＤで特定される手術セットの作業履歴を記憶する第４記憶部と、
前記第３記憶部に記憶された器具の作業履歴と、予め定められた第１算出式とに基づいて器具の稼働率を得るように構成された第１処理部と、
前記第４記憶部に記憶された手術セットの作業履歴と、予め定められた第２算出式とに基づいて手術セットの稼働率を得るように構成された第２処理部と
を備えた、手術セットおよび器具の管理システム。
【請求項２】
表示装置をさらに備え、
前記第１処理部は、前記器具の稼働率を前記表示装置に表示するように、さらに構成され、かつ、
前記第２処理部は、前記手術セットの稼働率を前記表示装置に表示するように、さらに構成された、請求項１に記載された手術セットおよび器具の管理システム。
【請求項３】
前記第１処理部は、
稼働率を得る器具Ａを特定するための処理ＳＡ１と、
当該器具Ａの稼働率を算出するための期間Ｚ１を設定するための処理ＳＡ２と
を含み、
前記第１算出式は、
前記期間Ｚ１に前記器具Ａが使用された回数Ｍ１を得るように構成された、
請求項１または２に記載された手術セットおよび器具の管理システム。
【請求項４】
前記第２処理部は、
稼働率を得る手術セットＢを特定するための処理ＳＢ１と、
当該手術セットＢの稼働率を算出するための期間Ｚ２を設定するための処理ＳＢ２と
を含み、
前記第２算出式は、
前記期間Ｚ２に前記手術セットＢが使用された回数Ｍ２を得るように構成された、
請求項１から３までの何れか一項に記載された手術セットおよび器具の管理システム。
【請求項５】
前記第１記憶部は、前記器具ＩＤが付与された器具のうち手術セットを構成する器具には、前記器具ＩＤに関連付けてセットＩＤが記憶されており、
前記第１処理部は、前記器具ＩＤが付与された器具のうち前記セットＩＤが関連付けられた器具ＩＤが抽出され、手術セットを構成する器具の稼働率が得られるように構成された、請求項１から４までの何れか一項に記載された手術セットおよび器具の管理システム。
【請求項６】
前記第１処理部は、前記器具ＩＤが付与された器具のうち前記セットＩＤが関連付けられていない器具ＩＤが抽出され、手術セットを構成しない器具の稼働率が得られるように、さらに構成された、請求項５に記載された手術セットおよび器具の管理システム。
【請求項７】
前記第１記憶部には、所属に関する情報が前記器具ＩＤに関連付けて記憶されており、
前記第２記憶部には、所属に関する情報が前記セットＩＤに関連付けて記憶されており、
器具、手術セットまたは所属毎に器具または手術セットを抽出するように構成された第３処理部をさらに備えた、
請求項１から６までの何れか一項に記載された手術セットおよび器具の管理システム。
【請求項８】
前記第３処理部は、通信ネットワークを介して接続された外部端末からの要求に応じて、器具、手術セットまたは所属毎に抽出された、前記器具の作業履歴、前記手術セットの作業履歴、前記器具の稼働率または前記手術セットの稼働率が、前記外部端末に表示されるように構成された、請求項７に記載された手術セットおよび器具の管理システム。
【請求項９】
器具の稼働率に基づいて器具を抽出するように構成された第４処理部を備えた、請求項１から８までの何れか一項に記載された手術セットおよび器具の管理システム。
【請求項１０】
表示装置を備え、
前記第４処理部は、前記器具の稼働率に基づいて抽出された器具を前記表示装置に表示するように、さらに構成された、請求項９に記載された手術セットおよび器具の管理システム。
【請求項１１】
前記第４処理部は、通信ネットワークを介して接続された外部端末からの要求に応じて、器具の稼働率に基づいて抽出された器具が前記外部端末に表示されるように構成された、請求項９または１０に記載された手術セットおよび器具の管理システム。
【請求項１２】
手術セットの稼働率に基づいて手術セットを抽出するように構成された第５処理部を備えた、請求項１から１１までの何れか一項に記載された手術セットおよび器具の管理システム。
【請求項１３】
表示装置を備え、
前記第５処理部は、前記手術セットの稼働率に基づいて抽出された手術セットを前記表示装置に表示するように、さらに構成された、請求項１２に記載された手術セットおよび器具の管理システム。
【請求項１４】
前記第５処理部は、通信ネットワークを介して接続された外部端末からの要求に応じて、手術セットの稼働率に基づいて抽出された手術セットが前記外部端末に表示されるように構成された、請求項１２または１３に記載された手術セットおよび器具の管理システム。
【請求項１５】
前記第３記憶部で記憶された器具の作業履歴には、器具の滅菌方法と滅菌条件が含まれており、
前記第４記憶部で記憶された手術セットの作業履歴には、手術セットの滅菌方法と滅菌条件が含まれており、
滅菌方法と滅菌条件と滅菌の有効期間とが関連付けて記憶された第５記憶部と、
少なくとも記憶された滅菌方法と滅菌条件とに基づいて、器具または手術セットに施された滅菌の有効期間が得られるように構成された第６処理部と
をさらに備えた、請求項１から１４までの何れか一項に記載された手術セットおよび器具の管理システム。
【請求項１６】
前記第３記憶部で記憶された器具の作業履歴には、器具の梱包方法と滅菌方法と滅菌条件とが含まれており、
前記第４記憶部で記憶された手術セットの作業履歴には、手術セットの梱包方法と滅菌方法と滅菌条件とが含まれており、
梱包方法と滅菌方法と滅菌条件と滅菌の有効期間とが関連付けて記憶された第５記憶部と、
少なくとも記憶された梱包方法と滅菌方法と滅菌条件に基づいて、器具または手術セットに施された滅菌の有効期間が得られるように構成された第６処理部と
をさらに備えた、請求項１から１５までの何れか一項に記載された手術セットおよび器具の管理システム。
【請求項１７】
前記第６処理部は、通信ネットワークを介して接続された外部端末からの要求に応じて、器具または手術セットに施された滅菌の有効期間が前記外部端末に表示されるように構成された、請求項１５または１６に記載された手術セットおよび器具の管理システム。
【請求項１８】
器具または手術セットの滅菌の有効期間の残期間を算出するように構成された第７処理部をさらに備えた、請求項１５から１７までの何れか一項に記載された手術セットおよび器具の管理システム。
【請求項１９】
表示装置をさらに備え、
前記第７処理部は、器具または手術セット毎に算出された残期間を表示するように、さらに構成された、請求項１８に記載された手術セットおよび器具の管理システム。
【請求項２０】
前記第７処理部は、通信ネットワークを介して接続された外部端末からの要求に応じて、器具または手術セットの滅菌の有効期間の残期間が前記外部端末に表示されるように構成された、請求項１８または１９に記載された手術セットおよび器具の管理システム。
【請求項２１】
第７処理部は、さらに残期間に基づいて器具または手術セットを抽出する、請求項１５から２０までの何れか一項に記載された手術セットおよび器具の管理システム。
【請求項２２】
表示装置をさらに備え、
前記第７処理部は、残期間に基づいて抽出された器具または手術セットを表示するように、さらに構成された、請求項２１に記載された手術セットおよび器具の管理システム。
【請求項２３】
前記第７処理部は、通信ネットワークを介して接続された外部端末からの要求に応じて、残期間に基づいて抽出された器具または手術セットが前記外部端末に表示されるように構成された、請求項２１または２２に記載された手術セットおよび器具の管理システム。
【請求項２４】
第１記憶部は、前記器具ＩＤに関連付けて前記器具を種類毎に区別する第１区別情報をさらに記憶しており、
前記第１区別情報に基づいて器具を抽出するように構成された第８処理部をさらに備えた、
請求項１から２３までの何れか一項に記載された手術セットおよび器具の管理システム。
【請求項２５】
前記第８処理部は、通信ネットワークを介して接続された外部端末からの要求に応じて、前記第１区別情報に基づいて抽出された器具が前記外部端末に表示されるように構成された、請求項２４に記載された手術セットおよび器具の管理システム。
【請求項２６】
第２記憶部は、前記セットＩＤに関連付けて前記手術セットを種類毎に区別する第２区別情報をさらに記憶しており、
前記第２区別情報に基づいて手術セットを抽出するように構成された第９処理部をさらに備えた、
請求項１から２５までの何れか一項に記載された手術セットおよび器具の管理システム。
【請求項２７】
前記第９処理部は、通信ネットワークを介して接続された外部端末からの要求に応じて、前記第２区別情報に基づいて抽出された手術セットが前記外部端末に表示されるように構成された、請求項２６に記載された手術セットおよび器具の管理システム。
【請求項２８】
通信ネットワークを介して接続された外部端末からの要求に応じて、前記器具の作業履歴、前記手術セットの作業履歴、前記器具の稼働率または前記手術セットの稼働率が前記外部端末に表示されるように構成された第１０処理部を備えた、
請求項１から２７までの何れか一項に記載された手術セットおよび器具の管理システム。
【請求項２９】
前記第３記憶部に記憶された器具の作業履歴に基づいて、再滅菌された器具を抽出するように構成された第１１処理部を備えた、請求項１から２８までの何れか一項に記載された手術セットおよび器具の管理システム。
【請求項３０】
前記第１１処理部は、抽出された器具の再滅菌の回数を得るように構成された、請求項２９に記載された手術セットおよび器具の管理システム。
【請求項３１】
前記第１１処理部は、通信ネットワークを介して接続された外部端末からの要求に応じて、再滅菌された器具が前記外部端末に表示されるように構成された、請求項２９または３０に記載された手術セットおよび器具の管理システム。
【請求項３２】
前記第４記憶部に記憶された手術セットの作業履歴に基づいて、再滅菌された手術セットを抽出するように構成された第１２処理部を備えた、請求項１から３１までの何れか一項に記載された手術セットおよび器具の管理システム。
【請求項３３】
前記第１２処理部は、抽出された器具の再滅菌の回数を得るように構成された、請求項３２に記載された手術セットおよび器具の管理システム。
【請求項３４】
前記第１２処理部は、通信ネットワークを介して接続された外部端末からの要求に応じて、再滅菌された器具が前記外部端末に表示されるように構成された、請求項３２または３３に記載された手術セットおよび器具の管理システム。
【請求項３５】
前記器具は、個体情報を有し、
前記第１記憶部には、前記器具の個体情報と器具ＩＤとセットＩＤとが関連付けて記憶されており、
予め定められた作業スペースにそれぞれ配置された複数のリーダーと、
前記リーダーによって前記個体情報が検知された際に、前記個体情報によって器具ＩＤとセットＩＤとが特定され、当該特定された器具ＩＤに関連付けて器具に施された作業の情報が前記器具の作業履歴に加えられ、かつ、当該特定されたセットＩＤに関連付けて手術セットに施された作業の情報が前記手術セットの作業履歴に加えられるように構成された第１３処理部と
をさらに備えた、
請求項１から３４までの何れか一項に記載された、手術セットおよび器具の管理システム。
【発明の詳細な説明】
【技術分野】
【０００１】
本発明は、手術セットおよび器具の管理システムに関する。
【背景技術】
【０００２】
特開２００３−１６１９８号公報には、診察、手術、検査などで使用される小物に個々に識別コードを設け、当該識別コードを読み取る装置を備えた装置が提案されている。管理装置のデータベースには、予め患者に関するデータ、その患者を担当する医師のデータ、鋼製小物の在庫データ等が医療データとして記憶されている。そして、患者に対して手術または治療等の医療行為がなされた後、管理装置のデータベース上に記憶された医療データと読み取ったデータとが比較される。
【０００３】
特開２００９−７２３３８号公報には、１回の使用ごとに洗浄し、繰り返し使用する医療機器の管理システムが開示されている。ここでは、内視鏡の状態に応じて表示部の色を変えることが開示されている。
【０００４】
特開２０１２−２１５９９０号公報には、医療器材のピッキング作業を支援するための装置が提案されている。具体的には、医療器材の識別子および医療器材の画像を格納した記憶部と、相互に類似する医療器材の識別子を互いに関連付けて格納する記憶部とを備えている。同公報で提示される装置は、ユーザーによって指定された医療器材の画像と、その医療器材と類似する医療器材の画像とが並べて表示されるように構成されている。
【０００５】
特開２０１３−１１６２３４号公報には、医療器具の所在を管理する装置が開示されている。ここで開示されている装置では、機器情報取得部は、医療施設内の複数箇所に設置されたタグ読取装置から、医療機器に付された識別タグの読取情報を含む機器情報を取得する。ステータス保持部は、取得された機器情報により特定される医療機器の所在を含む医療機器のステータスを保持する。表示制御部は、ステータス保持部に保持される医療機器のステータスを表示装置に表示させる。表示制御部は、医療機器の内、医療行為に使用中の医療機器を非表示にする。
【０００６】
特開２０１５−１９７７３５号公報には、一般医療スタッフの参考となるガイダンス情報を配信することができる装置が提案されている。ここで提案される装置は、熟練医療スタッフによる医療行為の内容を表す医療作業情報をガイダンス情報としている。そして、一般医療スタッフからの要求に応じて、ガイダンス情報を配信している。
【０００７】
実用新案登録第３１９９６１４号公報には、手術器具管理システムが開示されている。ここで開示されたシステムは、手術器具に関する外観写真を記録する。バーコード情報を用いて、手術前に準備された手術器具の資産番号一覧を作成する。次に、手術後に回収された手術器具の識別図柄を読み取る。また、手術器具の外観写真を表示させると共に、手術後に回収された手術器具に関する資産番号が、手術前に準備された手術器具に関する資産番号と一致するか否かを判断する。
【先行技術文献】
【特許文献】
【０００８】
【特許文献１】特開２００３−１６１９８号公報
【特許文献２】特開２００９−７２３３８号公報
【特許文献３】特開２０１２−２１５９９０号公報
【特許文献４】特開２０１３−１１６２３４号公報
【特許文献５】特開２０１５−１９７７３５号公報
【特許文献６】実用新案登録第３１９９６１４号公報
【発明の概要】
【発明が解決しようとする課題】
【０００９】
ところで、手術器具は、手術後、回収、洗浄、組立、封止、滅菌、保管の順で概ね管理されており、滅菌後に保管されている器具が再び手術で用いられている。病院などでは、多くの種類の器具や手術セットを、それぞれ複数保有し、保管されている器具や手術セットを取り出して使用している。このように、同種類の器具や手術セットが多数あるような場合には、管理が煩雑である。例えば、同種類の器具や手術セットでも、使用頻度にバラツキが生じやすい。
【課題を解決するための手段】
【００１０】
ここで提案される手術セットおよび器具の管理システムは、例えば、第１記憶部と、第２記憶部と、第３記憶部と、第４記憶部と、第１処理部と、第２処理部とを備えている。
ここで、第１記憶部は、器具に一対一で関連付けられた器具ＩＤを記憶している。第２記憶部は、複数の器具で構成された手術セットに一対一で関連付けられたセットＩＤを記憶している。第３記憶部は、器具ＩＤに関連付けて、当該器具ＩＤで特定される器具の作業履歴を記憶する。第４記憶部は、セットＩＤに関連付けて、当該セットＩＤで特定される手術セットの作業履歴を記憶する。第１処理部は、第３記憶部に記憶された器具の作業履歴と、予め定められた第１算出式とに基づいて器具の稼働率を得る。第２処理部は、第４記憶部に記憶された手術セットの作業履歴と、予め定められた第２算出式とに基づいて手術セットの稼働率を得る。
【発明の効果】
【００１１】
かかる手術セットおよび器具の管理システムによれば、器具の稼働率および手術セットの稼働率が得られる。このため、同種類の器具や手術セットが多数あるような場合でも、管理が容易である。
【図面の簡単な説明】
【００１２】
【図１】図１は、システム１０の概略図である。
【図２】図２は、システム１０の適用例を示す概略図である。
【図３】図３は、第１記憶部１０１と第２記憶部１０２を１つに纏めたデータベース４００の構成例である。
【図４】図４は、回収エリアＡ２での作業情報を記録したテーブル４２０の例である。
【図５】図５は、滅菌エリアＡ５での作業情報を記録したテーブル４４０の例である。
【図６】図６は、ある器具の作業履歴を抽出したデータの例を示す図である。
【図７】図７は、器具の種類に基づいて、同じ種類の複数の器具の作業履歴を抽出した例である。
【発明を実施するための形態】
【００１３】
以下、図面を参照しながら、本発明の一実施形態に係る手術セットおよび器具の管理システムを説明する。なお、ここで説明される実施形態は、当然ながら本発明を限定することを意図したものではない。
【００１４】
ここで、手術セットは、一回の手術あるいは手術の一工程で使われる複数の医療器具からなる１つの纏まりである。ここで、医療器具は、適宜に、器具と称される。
手術セットの器具には、例えば、トラカール、鉗子、切開装置、洗浄吸引装置、剪刃（クーパー）、メス、メスホルダー、カニューレ、鑷子、開創器、スケール、ゾンデ、エレバ、ラスパ、吸引管、開胸器、閉胸器、持針器、注射器、金属ボール、膿盆、コップ、ピン、ミラー、やすり、開口器、クレンメ、ハンドピース、ノミ、鋭匙、剥離子、鏡、縫合針、スタンツェ、受水器、針、圧子、ブジー、通気管、骨片打込器、リウエル、ラジオペンチ、ハンマー、角度計、スポイト、浣腸器、シリンジなどがある。
【００１５】
医療器具には、複数の構成部品で構成された器具がある。例えば、腹腔鏡外科手術で用いられるトラカール、鉗子、切開装置、洗浄吸引装置などは、複数の構成部品からなり、手術後に回収され、複数の構成部品に分解される。ここでは、医療器具を構成する部品を構成部品という。また、構成部品がさらに複数の構成部品からなる場合があるが、このような場合は全て構成部品と称する。
【００１６】
このような医療器具および医療器具の構成部品は、それぞれ洗浄作業が決められている。このため、医療器具および器具の構成部品は、手術後に回収されてそれぞれ指定された洗浄作業毎に振分けられて、それぞれ洗浄工程に回送される。洗浄後、複数の構成部品からなる器具は組立てられ、また、手術セット毎、あるいは、医療器具毎に分けられて所定の容器に入れられて封止される。その後、指定された滅菌方法で滅菌されて、次に使用されるまで保管される。このように、手術セットの使用では、手術→回収（振分け）→洗浄→組立（封止）→滅菌→保管→手術という工程が繰り繰り返される。手術セットの各器具および構成部品は、それぞれ適切な方法および手順で確実に洗浄されることが、院内感染などを防ぐ上で重要である。
【００１７】
ところで、手術セットや手術器具は、手術後、回収、洗浄、組立、封止、滅菌、保管の工程を経るため、多くの病院では、多くの種類の手術セットや手術器具を、それぞれ複数保有し、保管されている手術セットや手術器具を取り出して使用している。このような場合には、管理が煩雑になる。例えば、同種類の手術セットや手術器具でも、使用頻度にバラツキが生じる。また、手術セットや手術器具がどの程度有効に利用されているかを判断することが難しい。また、一定の期間、全く使用されない手術セットや手術器具が存在していても、誰も気付かない場合がある。
【００１８】
ここで提案される手術セットおよび器具の管理システムは、例えば、手術セットおよび器具を適切に管理するのに用いられうる。
【００１９】
図１は、手術セットおよび器具の管理システム１０（本明細書において、適宜に「システム１０」と称される。）の概略図である。図１に示された形態では、システム１０は、ハードウェア構成として、リーダー１１と、表示装置１２と、操作端末１３と、処理装置１００とを備えている。なお、システム１０のハードウェア構成は、図１の形態に限定されない。システム１０の各種処理は、例えば、操作端末１３と処理装置１００において、ソフトウェアとハードウェアとの協働として具現化される。
【００２０】
ここで提案されるシステム１０は、図１に示されているように、第１記憶部１０１〜第５記憶部１０５と、第１処理部２０１〜第１３処理部２１３とを備えている。なお、システム１０は、ここで説明される第１記憶部１０１〜第５記憶部１０５および第１処理部２０１〜第１３処理部２１３以外にも、所要の記憶部と処理部を備えているとよい。
【００２１】
このうち、第１記憶部１０１は、器具、および、複数の器具で構成された手術セットの各器具にそれぞれ一対一で関連付けられた器具ＩＤを記憶している。
第２記憶部１０２は、手術セットに一対一で関連付けられたセットＩＤを記憶している。
第３記憶部１０３は、器具ＩＤに関連付けて、当該器具ＩＤで特定される器具の作業履歴を記憶するように構成されている。
第４記憶部１０４は、セットＩＤに関連付けて、当該セットＩＤで特定される手術セットの作業履歴を記憶するように構成されている。
第１処理部２０１は、第３記憶部１０３に記憶された器具の作業履歴と、予め定められた第１算出式とに基づいて器具の稼働率を得るように構成されている。
第２処理部２０２は、第４記憶部１０４に記憶された手術セットの作業履歴と、予め定められた第２算出式とに基づいて手術セットの稼働率を得るように構成されている。
【００２２】
かかるシステム１０によれば、器具の稼働率および手術セットの稼働率が得られる。このため、同種類の器具や手術セットが多数あるような場合でも、管理が容易である。例えば、同種の器具や手術セットのうち、稼働率が低い器具や手術セットを優先して使用することによって、使用頻度のバラツキが小さく抑えられる。また、器具の稼働率および手術セットの稼働率が得られるので、一定の期間において、全く使用されない手術セットや手術器具が存在していていることも、その認知が容易になる。
【００２３】
このシステム１０では、例えば、手術→回収（振分け）→洗浄→組立（封止）→滅菌→保管→手術の各工程において、器具ＩＤで特定される器具の作業履歴およびセットＩＤで特定される手術セットの作業履歴が適宜に記録される。そして、器具の作業履歴に基づいて、器具の稼働率が得られ、かつ、手術セットの作業履歴に基づいて、手術セットの稼働率が得られるように構成されている。以下、システム１０の適用例を例示する。
【００２４】
図２は、システム１０の適用例を示す概略図である。図２に示された形態では、手術エリアＡ１、回収エリアＡ２、洗浄エリアＡ３、組立エリアＡ４、滅菌エリアＡ５および保管エリアＡ６の各エリアＡ１〜Ａ６に操作端末１３ａ〜１３ｆおよびリーダー１１ａ〜１１ｆが配置された状態が示されている。
【００２５】
手術エリアＡ１は、医師や看護師によって器具や手術セットが使用されるエリアであり、手術や診察が行われるエリアである。
回収エリアＡ２は、手術エリアＡ１から手術セットおよび手術器具が回収されるエリアである。ここでは、手術セットは、手術器具毎にばらばらに回収されうる。
洗浄エリアＡ３は、手術セットおよび手術器具を洗浄するエリアである。ここでは、手術器具は、部品毎に分解されて洗浄されうる。
組立エリアＡ４は、洗浄された手術セットおよび手術器具を組立て、所定の容器や袋に梱包するエリアである。
滅菌エリアＡ５は、手術セットおよび手術器具を滅菌するエリアである。手術セットおよび手術器具は、所定の容器や袋に梱包された状態で滅菌される。
保管エリアＡ６は、滅菌された手術セットおよび手術器具を保管するエリアである。
【００２６】
なお、この実施形態では、手術エリアＡ１、回収エリアＡ２、洗浄エリアＡ３、組立エリアＡ４、滅菌エリアＡ５および保管エリアＡ６に区分されているが、かかる形態に限定されない。例えば、手術セットおよび手術器具は、修理やメンテナンスに出される場合がある。そのような場合は、メンテナンスエリアという概念を設けて、手術セットおよび手術器具が修理やメンテナンスに出された場合に当該エリアに区分してもよい。また、洗浄や組立や滅菌の作業は、手術などとは異なる専門の業者が行う場合がある。このような場合、洗浄エリアＡ３や組立エリアＡ４や滅菌エリアＡ５は、手術エリアＡ１や回収エリアＡ２や保管エリアＡ６などとは異なる施設に設けられうる。手術エリアＡ１や回収エリアＡ２や保管エリアＡ６についてもそれぞれ異なる場所に設けられうる。また、このシステム１０では、複数の病院で使われる手術セットや器具を纏めて管理することが可能である。このような場合、手術エリアＡ１や回収エリアＡ２などは、複数の場所に設置されうる。
【００２７】
また、上述した各エリアＡ１〜Ａ６は、それぞれ所定の作業が行われる場所と規定されうる。ただし、システム上は、各エリアＡ１〜Ａ６に関連付けられて識別ＩＤが割り当てられ、マスターデータに記憶されているとよい。システム上は、各エリアＡ１〜Ａ６に配置されたリーダー１１ａ〜１１ｆや操作端末１３ａ〜１３ｆが、各エリアＡ１〜Ａ６に関連付けられているとよい。例えば、リーダー１１ａ〜１１ｆや操作端末１３ａ〜１３ｆで入力された情報が、各エリアＡ１〜Ａ６で入力された情報としてシステム１０において扱われるとよい。
【００２８】
また、各エリアＡ１〜Ａ６は、実際上の場所が重複していてもよい。例えば、手術や診療が行われている場所と同じ場所で回収が行われる場合には、手術エリアＡ１と回収エリアＡ２の場所が重複していてもよい。また、リーダー１１や表示装置１２や操作端末１３が手術エリアＡ１と回収エリアＡ２とで共通していてもよい。この場合、操作端末１３の機能や設定が、例えば、ソフトウェア上の処理によって各エリアＡ１〜Ａ６に応じて切り替えられるように構成されているとよい。例えば、操作端末１３は、手術エリアＡ１に応じた機能および設定と、回収エリアＡ２に応じた機能および設定とに、予め定められた操作で適宜に切り替えられるように構成されているとよい。
【００２９】
システム１０は、図２に示されているように、処理装置１００および各エリアＡ１〜Ａ６に配置された操作端末１３ａ〜１３ｆおよびリーダー１１ａ〜１１ｆによって具現化されている。操作端末１３ａ〜１３ｆおよび処理装置１００は、表示装置１２ａ〜１２ｇをそれぞれ備えている。本明細書において、リーダー１１ａ〜１１ｆ、表示装置１２ａ〜１２ｇおよび操作端末１３ａ〜１３ｆを区別する必要がない場合には、単に「リーダー１１」、「表示装置１２」および「操作端末１３」と称する。
【００３０】
図２では、各エリアＡ１〜Ａ６に、リーダー１１、表示装置１２および操作端末１３がそれぞれ１つずつ配置されているが、各エリアＡ１〜Ａ６に配置されるリーダー１１、表示装置１２および操作端末１３はそれぞれ複数配置されていてもよい。また、各エリアＡ１〜Ａ６では異なるエリアにおいて、リーダー１１、表示装置１２および操作端末１３が共有されていてもよい。なお、図１および図２は、システムの概略図である。システム１０は、かかる形態に限定されない。システム１０は、さらに多くのリーダー１１と表示装置１２と操作端末１３を備えていてもよい。
【００３１】
各エリアＡ１〜Ａ６に配置されたリーダー１１ａ〜１１ｆは、手術セットの器具、器具の構成部品に組み込まれた個体情報、あるいは、器具や手術セットを収容する袋や容器に付された個体情報を読み取る装置である。
【００３２】
ここで、個体情報は、所定の形態の二次元シンボルであり得る。例えば、手術セットの器具に用いられる個体情報としては、二次元バーコードや、ＲＦＩＤのような非接触タグや、器具表面に形成される刻印などで具現化されうる。また、刻印には、レーザー刻印や、打刻による形成ができる。
【００３３】
打刻による二次元シンボルの形成には、例えば、メタルプリンター（例えば、ローランドディー．ジー．株式会社製  ＭＰＸ−９５など）が用いられうる。このようなメタルプリンターによれば、例えば、１ｍｍ〜４ｍｍ角程度の微細な大きさでデータマトリックスを形成することが可能である。打刻による二次元シンボルは、器具表面を凹ますことによって形成されている。器具表面のメッキ被膜などに傷が付きにくく、二次元シンボルを付けたことによって器具が錆び難い。また、メタルプリンターなどの発達によって、二次元シンボルが形成されていない既存の器具にも適用でき、二次元シンボルをユーザーで設定して付与することができる。
【００３４】
また、組立エリアＡ４、滅菌エリアＡ５あるいは保管エリアＡ６では、例えば、器具は適宜に単品で個包装された状態であり、手術セットは纏めて袋や容器に収容された状態である。この場合、器具や手術セットを収容する袋や容器には、二次元シンボルなどの個体情報が付されているとよい。
【００３５】
リーダー１１ａ〜１１ｆは、二次元シンボルを検知するための検知部を備えているとよい。二次元シンボルを検知するための検知部には、例えば、カメラやＣＣＤイメージセンサなどが挙げられる。リーダー１１ａ〜１１ｆの検知部に、器具や構成部品に付された個体情報（例えば、打刻された二次元シンボル）を向けることで、当該器具や構成部品に割り当てられた個体情報が読み取られる。また、器具や手術セットが袋や容器に入れられている場合には、袋や容器に付された個体情報をリーダー１１ａ〜１１ｆに向けることで、当該個体情報が読み取られる。
【００３６】
図２では、操作端末１３ａ〜１３ｆや処理装置１００は、ラップトップ型の端末が図示されているが、端末の形態には限定されず、例えば、タブレット型端末や据え置き型の端末であってもよい。また、操作端末１３ａ〜１３ｆは、処理装置１００と協働してこのシステム１０の各種処理を具現化するように構成されているとよい。この実施形態では、処理装置１００は、このシステム１０の各処理の基幹となるホストコンピュータとして機能しうる。操作端末１３ａ〜１３ｆは、処理装置１００と連携し、このシステム１０のクライアントコンピュータとして機能しうる。また、処理装置１００や操作端末１３ａ〜１３ｆは、通信ネットワーク１４を通じて、記憶装置に繋がっているとよい。そして、処理装置１００や操作端末１３ａ〜１３ｆの記憶装置には、適宜に情報が書き込まれ、かつ、情報が記憶装置から取り出されるように構成されているとよい。
【００３７】
操作端末１３ａ〜１３ｆおよび処理装置１００は、演算装置（プロセッサ、ＣＰＵ（Central Processing Unit）、ＭＰＵ（Micro-processing unit）とも称される）と、記憶装置（メモリーやハードディスクなど）とを備えている。操作端末１３ａ〜１３ｆおよび処理装置１００の各機能は、記憶装置に記憶されたソフトウェアとの協働によって処理によって具現化される。例えば、操作端末１３ａ〜１３ｆおよび処理装置１００の各構成および処理は、所定の演算処理を行う処理モジュールとして、若しくは、データとして、または、それらの一部として具現化されうる。処理モジュールは、具体的には、それぞれプログラムである。
【００３８】
図１では、処理装置１００や操作端末１３ａ〜１３ｆは、それぞれデータを記憶する記憶領域１２０と、処理モジュールを記憶する記憶領域１４０とを備えている。
データを記憶する記憶領域１２０には、上述した記憶部１０１〜１０５の他、各種のマスターデータや、リーダー１１ａ〜１１ｆや操作端末１３ａ〜１３ｆによって取得される各種データなどが記憶される。
処理モジュールを記憶する記憶領域１４０には、システム１０の処理モジュールが適宜に記憶されている。記憶領域１４０に記憶された処理モジュールは、上述した処理部２０１〜２１０に限らない。処理装置１００や操作端末１３ａ〜１３ｆは、例えば、記憶領域１４０に記憶された処理モジュールを適宜に呼び出して実行するように構成されているとよい。ここで、データを記憶する記憶領域１２０は、例えば、処理装置１００や操作端末１３ａ〜１３ｆとは別体のデータサーバーで構成されていてもよい。
【００３９】
操作端末１３ａ〜１３ｆおよび処理装置１００は、それぞれ単一の装置で具現化してもよいし、複数の装置が協働で処理装置としての機能を奏するものでもよい。つまり、図１では、処理装置１００は、１つの装置のように図示されているが、１つの装置であることに限定されない。
【００４０】
操作端末１３ａ〜１３ｆおよび処理装置１００は、ディスプレイとして機能する表示装置１２ａ〜１２ｇを備えている。表示装置１２ａ〜１２ｇは、操作端末１３ａ〜１３ｆおよび処理装置１００に組み込まれたプログラムに従って画像を表示するように構成されている。表示装置１２ａ〜１２ｇは、それぞれタッチパネルで構成されていてもよい。表示装置１２ａ〜１２ｇがタッチパネルで構成されている場合には、例えば、ユーザーが表示装置１２の画面に触れることで操作されるようにシステム１０が構成されているとよい。
【００４１】
リーダー１１ａ〜１１ｆと、操作端末１３ａ〜１３ｆと、処理装置１００とは、双方向においてデータ通信可能に接続されているとよい。図２に示された形態では、リーダー１１ａ〜１１ｆと、操作端末１３ａ〜１３ｆと、処理装置１００とは、通信ネットワーク１４を通じてデータ通信可能な状態で連携している。各操作端末１３ａ〜１３ｆ、リーダー１１ａ〜１１ｆ、および、処理装置１００は、例えば、ルーター（図示省略）を通じて構築される無線通信ネットワークやＬＡＮケーブルなどの有線通信ネットワークによって相互に情報通信が可能な状態で接続されているとよい。
【００４２】
図２に示された操作端末１３ａ〜１３ｆのディスプレイ１２ａ〜１２ｆは、それぞれ図１に示された表示装置１２として機能する。図２に示された形態では、操作端末１３ａ〜１３ｆと処理装置１００とは、協働してシステム１０の処理装置１００（図１参照）として機能する。図１および図２に示された形態では、システム１０は、複数の装置によって具現化されている。システム１０では、操作端末１３ａ〜１３ｆや処理装置１００などの複数台のパソコンが連携している。システム１０は、離れた複数の場所で異なる複数のユーザーによって同時に並行して利用される。そして、多くの手術セットや器具が複数の工程で並行して管理される。
【００４３】
このシステム１０は、図１に示すように、第１記憶部１０１〜第５記憶部１０５の各記憶部１０１〜１０５と、第１処理部２０１〜第１３処理部２１３の各処理部２０１〜２１０とを備えている。
【００４４】
このシステム１０において、各処理部２０１〜２１０の処理は、処理装置１００および操作端末１３ａ〜１３ｆのうち何れの装置によって処理されてもよい。また、各記憶部１０１〜１０５によって記憶された情報は、例えば、ホストコンピュータとしての処理装置１００によって管理され、各操作端末１３ａ〜１３ｆに共有されるように構成されているとよい。
【００４５】
第１記憶部１０１は、器具、および、複数の器具で構成された手術セットの各器具にそれぞれ一対一で関連付けられた器具ＩＤを記憶している。つまり、このシステム１０では、手術セットの器具には器具ＩＤが付与されている。器具ＩＤは、一対一で特定の器具に対応している。器具には、上述のようにリーダー１１ａ〜１１ｆで読み取り可能な個体情報が付されている。この場合、器具ＩＤは、器具に付された個体情報に関連付けられているとよい。このシステム１０は、リーダー１１ａ〜１１ｆで個体情報が読み取られた際に器具に一対一で関連付けられた器具ＩＤが特定されるように構成されているとよい。
【００４６】
また、器具はさらに複数の構成部品で構成されている場合がある。このシステム１０では、器具を構成する構成部品にも部品ＩＤが付与されている。部品ＩＤは、一対一で特定の器具および器具の構成部品に対応している。このシステム１０では、手術セットの器具および器具の構成部品は、それぞれ部品ＩＤでも特定されうる。この場合、部品にも個体情報が付されているとよく、リーダー１１ａ〜１１ｆで個体情報が読み取られた際に部品に一対一で関連付けられた部品ＩＤおよび器具ＩＤが特定されるように構成されているとよい。
【００４７】
第２記憶部１０２は、手術セットに一対一で関連付けられたセットＩＤを記憶している。つまり、このシステム１０では、手術セットに一対一で関連付けられたセットＩＤが付与されており、セットＩＤによって手術セットが特定される。
【００４８】
なお、この実施形態では、手術セットに一対一で関連付けられたセットＩＤと、当該手術セットに属する器具の器具ＩＤと、当該手術セットに属する構成部品の部品ＩＤとをさらに関連付けて記憶している。つまり、セットＩＤが特定されると、当該セットＩＤで特定される手術セットに属する器具の器具ＩＤおよび構成部品の部品ＩＤが特定される。また、器具ＩＤが特定されると、当該器具が属する手術セットのセットＩＤが特定される。また、器具が構成部品を備えている場合には、器具ＩＤから当該器具に属する構成部品の部品ＩＤが特定される。また、構成部品の部品ＩＤが特定されると、当該構成部品が属する器具の器具ＩＤが特定される。さらに当該器具が手術セットに属している場合には、当該器具が属する手術セットのセットＩＤが特定される。
【００４９】
上述した第１記憶部１０１と第２記憶部１０２は、それぞれ独立したデータベースで構成されてもよい。また、第１記憶部１０１と第２記憶部１０２は、１つのデータベースで構成されてもよい。図３は、第１記憶部１０１と第２記憶部１０２を１つに纏めたデータベース４００の構成例である。図３では、セットＩＤを記憶する欄４０１，手術セット名を記憶する欄４０２，器具ＩＤを記憶する欄４０３，器具名を記憶する欄４０４，部品ＩＤを記憶する欄４０５，個体情報としてのＧＳ１コードを記憶する欄４０６，手術セットや器具や部品の画像ファイルを記憶する欄４０７、所属に関する情報を記憶する欄４０８，４０９が設けられており、それぞれが関連付けられて記憶されている。画像ファイルは、手術セット、器具または構成部品の画像が納められており、表示装置１２ａ〜１２ｇを通じて適宜に画像が表示されるように構成されうる。
【００５０】
図３に示されている形態のように、第１記憶部１０１は、器具ＩＤが付与された器具のうち手術セットを構成する器具には、器具ＩＤに関連付けてセットＩＤが記憶されているとよい。これにより、手術セットを構成する器具では、器具ＩＤが特定されると、手術セットのセットＩＤが特定される。
【００５１】
また、所属に関する情報が器具ＩＤやセットＩＤに関連付けて記憶されている。ここで所属は、例えば、病院であれば、外科や内科などの診療科で規定されうる。また、複数の病院の器具や手術セットを合わせて管理するような場合には、所属には、病院などの情報が含まれる。このように、所属は、いくつかの階層で複数の情報が含まれていてもよい。例えば、この実施形態では、所属１には、病院、所属２には、診療科の情報が含まれている。
【００５２】
図３に示されているように、このシステム１０では、セットＩＤ、器具ＩＤ、部品ＩＤ、および、これらに関連付けられた個体情報や画像データや所属に関する情報などは、マスターデータとして予め記憶されているとよい。マスターデータとして記憶される情報は、図３に列挙される項目に限定されない。また、作業者ＩＤなどは、システム１０においてマスターデータとして予め記憶されており、作業者に配布されたネームタグなどに割り当てられているとよい。ネームタグに割り当てられた作業者ＩＤは、リーダー１１ｂで読み取り可能なものであるとよい。
また、リーダー１１ａ〜１１ｆや操作端末１３ａ〜１３ｆや処理装置１００にも、個体情報が割り当てられており、システム１０においてマスターデータとして予め記憶されているとよい。
また、洗浄方法や、梱包材や、滅菌方法なども、適宜に、システム１０においてマスターデータとして予め記憶されているとよい。
【００５３】
第３処理部２０３は、器具、手術セットまたは所属毎に器具または手術セットを抽出するように構成されている。これにより、器具、手術セットまたは所属毎に器具または手術セットの在庫や稼働率を得ることができる。
【００５４】
この実施形態では、予め定められた作業スペースとしての各エリアＡ１〜Ａ６にそれぞれリーダー１１ａ〜１１ｆが配置されている。また、器具は、個体情報を有している。第１記憶部１０１には、器具の個体情報と器具ＩＤとセットＩＤとが関連付けて記憶されている。
【００５５】
この実施形態では、第１３処理部２１３は、リーダー１１ａ〜１１ｆによって個体情報が検知された際に、個体情報によって器具ＩＤとセットＩＤとを特定する。そして、第１３処理部２１３は、特定された器具ＩＤに関連付けて器具に施された作業の情報を器具の作業履歴に加えるように構成されている。また、第１３処理部２１３は、特定されたセットＩＤに関連付けて手術セットに施された作業の情報を手術セットの作業履歴に加えるように構成されている。リーダー１１ａ〜１１ｆによって個体情報が検知された際に、個体情報によって器具ＩＤとセットＩＤとを特定されるので、作業情報は、器具や手術セットを取り間違えて入力されにくい。
【００５６】
このように、各エリアＡ１〜Ａ６に配置されたリーダー１１ａ〜１１ｆによって、個体情報が検知された際に、個体情報によって器具ＩＤが特定され、各エリアＡ１〜Ａ６で器具に施された作業の情報が器具の作業履歴に加えられる。また、個体情報によってセットＩＤが特定された際には、各エリアＡ１〜Ａ６で手術セットに施された作業の情報が手術セットの作業履歴に加えられる。このように、リーダー１１ａ〜１１ｆを介して器具や手術セットが特定されるので、器具や手術セットの作業履歴の入力がより確実に行われる。また、器具や手術セットの作業履歴は、例えば、作業の情報に加えてリーダー１１ａ〜１１ｆによって個体情報が検知された時刻が記録される。また、作業者や作業に用いられた器材や材料などの情報が適宜に加えられてもよい。
【００５７】
なお、ここでは、個体情報が検知された際に、個体情報によって器具ＩＤが特定され、各エリアＡ１〜Ａ６で器具に施された作業の情報が器具の作業履歴に加えられることを例示している。しかしながら、特段、言及されない場合において、器具ＩＤに関連付けて、器具ＩＤで特定される器具の作業履歴を記憶する具体的な手段や、セットＩＤに関連付けて、セットＩＤで特定される手術セットの作業履歴を記憶する具体的な手段はかかる形態に限定されない。例えば、各エリアＡ１〜Ａ６で、作業者が作業の情報を手入力するように構成されていてもよい。
【００５８】
手術エリアＡ１では、例えば、保管されている器具や手術セットが手術エリアＡ１に搬入された際に、リーダー１１ａによって、個体情報が検知され、器具ＩＤやセットＩＤが特定される。そして、器具ＩＤやセットＩＤに関連付けて、搬入された日時や使用された際の情報が記録される。また、手術エリアＡ１で記憶される作業情報には、例えば、医師などの使用者（作業者）や患者や患者のカルテ番号や手術や診療番号などが含まれていてもよい。これにより、器具や手術セットがどのような手術に使われたかの作業履歴がシステム１０において記憶される。器具や手術セットの作業履歴で追跡可能な情報量が多くなる。また、既存の電子カルテの情報が、手術エリアＡ１での作業情報としてこのシステム１０に取り込まれてもよい。また、器具ＩＤやセットＩＤが既存の電子カルテに書き込まれてもよい。このように既存の電子カルテと、このシステム１０とが連携するようにシステムが相互に構築されてもよい。
【００５９】
回収エリアＡ２には、例えば、手術エリアＡ１で使用された器具や手術セットが持ち込まれる。回収エリアＡ２では、例えば、リーダー１１ｂによって、個体情報が検知され、器具ＩＤやセットＩＤが特定される。回収エリアＡ２で記憶される作業情報には、例えば、回収された日時や作業者ＩＤなどの情報が含まれうる。
【００６０】
回収エリアＡ２では、例えば、手術セットに含まれる器具の一覧が表示装置１２ｂに表示されるとよい。そして、リーダー１１ｂによって、手術セットに含まれる器具の個体情報が検知しつつ器具が回収されるとよい。そして、手術セットに含まれる器具の個体情報が検知されて器具が表示装置１２ｂにおいて特定されるように構成されているとよい。さらに、回収作業において作業者が表示装置１２ｂに表示された器具を指定すると、例えば、当該手術セットに含まれる器具の一覧から当該個体情報が検知された器具の表示が暗くなるように構成されているとよい。この場合、表示装置１２ｂは、例えば、タッチパネルで構成されているとよい。作業者は表示装置１２ｂの画面において、表示された器具の一覧から回収する器具（換言すると、個体情報で特定された器具）に触れると当該器具の表示が変更されるように構成されているとよい。このような処理によって、当該器具が回収されたことが作業者において容易に視認できるようになっているとよい。そして、手術エリアＡ１で使用された手術セットに含まれる全ての器具が回収エリアＡ２において回収されることによって、当該手術セットの回収が終了する。この際、表示装置１２ｂにおいて、当該手術セットの表示が暗く表示されたり、回収終了を意味するアイコンが表示されたりするなどして、当該器具が回収されたことが作業者において容易に視認できるようになっているとよい。
【００６１】
洗浄エリアＡ３では、例えば、リーダー１１ｃによって、手術セットに含まれる器具の個体情報が検知されると、器具ＩＤが特定される。かかる特定された器具ＩＤに関連付けて、洗浄エリアＡ３での作業情報が記憶されるとよい。洗浄エリアＡ３での作業情報には、例えば、洗浄に用いられた洗浄機や洗剤など洗浄方法の情報や作業者ＩＤが含まれうる。
【００６２】
また、このシステム１０において器具ＩＤと洗浄方法とが予め関連付けて記憶されているとよい。この場合、リーダー１１ｃによって、手術セットに含まれる器具の個体情報が検知されると、洗浄エリアＡ３の表示装置１２ｃにおいて、当該特定された器具ＩＤに基づいて、当該器具に必要な洗浄処理が画面上表示されるように構成されていてもよい。リーダー１１ｃによって器具ＩＤが特定されるので、器具を取り違えて洗浄処理が行われたり、器具を取り違えて作業情報が入力されたりすることが生じにくい。リーダー１１ｃは、例えば、洗浄機に設けられていてもよい。この場合、器具の個体情報を読み取りつつ、洗浄機に器具を投入するようにしてもよい。また、洗浄機に設定された洗浄条件などの情報が、作業情報として記録されるとよい。ここで、洗浄方法には、用手洗浄、単層式自動洗浄、多層式自動洗浄、超音波洗浄、薬品洗浄などが挙げられ、それぞれ所定の洗浄機や洗剤が所定の方法で用いられるとよい。
【００６３】
また、手術エリアＡ１での作業情報として既存の電子カルテの情報が取り込まれてもよい。この場合、患者や手術の情報に関連付けて器具の洗浄方法や滅菌方法が予めマスターデータに記憶されているとよい。これにより、手術エリアＡ１での作業情報に含まれる患者や手術の情報と、マスターデータに基づいて、適宜に、器具に必要な洗浄方法が特定されるように構築されていてもよい。これにより、電子カルテの情報に基づいて器具や手術セットに特別な洗浄が必要になる場合には、その洗浄方法が特定されるようにシステム１０が構築されるとよい。同様に、滅菌エリアＡ５では、電子カルテの情報に基づいて器具や手術セットに特別な滅菌が必要になる場合には、その滅菌方法が特定されるようにシステム１０が構築されているとよい。
【００６４】
組立エリアＡ４では、洗浄された部品から器具が組立てられたり、手術セットに含まれる器具が集められて手術セットとして一纏めにされたりする。器具が組立てられるときには、必要な潤滑油などが塗布されたりする。
【００６５】
組立エリアＡ４では、例えば、リーダー１１ｄによって、手術セットに含まれる器具の個体情報が検知されると、当該器具ＩＤと手術セットのセットＩＤとが特定される。そして、手術セットに含まれる器具の一覧が表示される。また、この際、組立エリアＡ４で施す必要がある組立て作業が画面上表示されるとよい。例えば、器具の組み立ての際に塗布する潤滑油などが予め定められているような場合には、そのことが表示されるように構成されているとよい。
【００６６】
また、器具や手術セットは、所定の袋や容器に収容される。その際、梱包材や梱包方法などが合わせて記録されるとよい。ここで、梱包材には、不織布や滅菌バッグやコンテナやトレーなどがある。梱包方法としては不織布でくるんだり、滅菌バッグに収容したり、さらに不織布でくるんだ状態で滅菌バッグに収容することなどがある。手術セットに含まれるべき器具が全て含まれていることがチェックされつつ、梱包されるとよい。この際、表示装置１２ｄにおいて、手術セットに含まれる器具の一覧が表示され、器具が梱包されるにリーダー１１ｄによって器具の個体情報を検知しつつ、梱包されるとよい。そして、器具の一覧において梱包された器具の表示を変化させるとよい。梱包された器具の表示が表示装置１２ｄにおいて変化することによって、作業者は、梱包されていない器具を容易に確認できる。これによって、手術セットに含まれるべき器具が欠落したり、誤って他の器具が手術セットに入ったりするのが防止されうる。
【００６７】
器具や手術セットは、例えば、袋や容器に梱包されて密閉される。手術セットに含まれない器具は個品で梱包される。手術セットは、例えば、一纏めとして梱包される。梱包された袋や容器には、袋や容器を識別するための個体情報が付されているとよい。そして、当該袋や容器に付された個体情報と、収容された器具を特定するための器具ＩＤや手術セットを特定するためのセットＩＤが関連付けられて記憶されるとよい。例えば、梱包作業において、リーダー１１ｄで、袋や容器に付された個体情報と、袋や容器に収容する器具または手術セットの個体情報とを読み取りつつ、当該器具または手術セットを袋や容器に収容する。この際、システム１０は、袋や容器の個体情報と、収容された器具または手術セットの個体情報を関連付けて記憶するとよい。これにより、後工程において、袋や容器に付された個体情報に基づいて、収められた手術セットのセットＩＤや器具の器具ＩＤが特定されうる。
【００６８】
このように組立エリアＡ４では、例えば、リーダー１１ｃによって読み取られる袋や容器の個体情報に関連付けて、組立エリアＡ４での作業情報が記憶される。組立エリアＡ４での作業情報には、袋や容器に収容された器具の器具ＩＤや手術セットのセットＩＤ、作業者や組立作業においてリーダー１１ｃに個体情報が読み取られた日時、作業者を特定するための作業者ＩＤなどが含まれうる。また、併せて袋や容器の個体情報と、収容された器具または手術セットの個体情報が、関連付けて記憶されるとよい。
【００６９】
滅菌エリアＡ５では、器具や手術セットは袋や容器などの梱包材に収容された状態で取り扱われる。滅菌エリアＡ５では、例えば、リーダー１１ｅによって、袋や容器に付された個体情報が読み取られる。そして、当該個体情報に基づいて器具や手術セットが特定される。そして、当該器具や手術セットに予め定められた滅菌処理が施される。
【００７０】
この実施形態では、当該器具ＩＤやセットＩＤに関連付けて滅菌処理が予め記憶されたデータベースが予め用意されている。滅菌エリアＡ５では、リーダー１１ｅによって、袋や容器に付された個体情報が読み取られ、当該袋や容器に収容された器具の器具ＩＤや手術セットのセットＩＤが特定される。そして、当該器具ＩＤやセットＩＤに基づいて、滅菌エリアＡ５での滅菌処理が特定され、表示装置１２ｅにおいて表示されるようにシステム１０が構成されているとよい。
【００７１】
これにより、袋や容器に収容された器具や手術セットに施すべき滅菌処理が、作業者において容易に理解されるようになっているとよい。また、この際、例えば、滅菌エリアＡ５では、例えば、オートクレーブのような滅菌処理機にリーダー１１ｅがさらに備え付けられているとよい。この場合、リーダー１１ｅで、袋や容器に付された個体情報を読み取ってから滅菌処理機に投入されるように構成されているとよい。これにより、予め定められた滅菌処理の条件（温度や処理時間）で滅菌処理が施されるように構成されているとよい。また、システム１０は、リーダー１１ｅによって袋や容器に付された個体情報が読み取られたときに、投入されるべき滅菌処理機や滅菌処理機に設定されている滅菌処理の条件が適当でない場合には、アラームが鳴るなどして、作業者のミスが防止されるように構成されていてもとよい。
【００７２】
かかる滅菌エリアＡ５では、例えば、リーダー１１ｄによって袋や容器に付された個体情報が読み取られる。そして、袋や容器に付された個体情報に関連付けられて器具ＩＤやセットＩＤが特定される。そして、袋や容器に付された個体情報や器具ＩＤやセットＩＤに関連付けて滅菌エリアＡ５での作業情報が記憶される。滅菌エリアＡ５での作業情報には、例えば、滅菌方法や滅菌処理の条件が含まれているとよい。具体的には、滅菌処理に用いられた滅菌処理機、滅菌の温度や処理時間などの条件、滅菌処理の終了日時、作業者などの情報がさらに含まれうる。
【００７３】
保管エリアＡ６では、滅菌後の器具や手術セットが保管されるエリアである。保管エリアＡ６では、リーダー１１ｆによって、袋や容器に付された個体情報が読み取られる。そして、袋や容器に付された個体情報に関連付けて器具ＩＤやセットＩＤが特定される。収容された器具の器具ＩＤおよび手術セットのセットＩＤを特定した上で袋や容器を仕分けして適当な場所に保管するとよい。保管エリアＡ６で記録される作業情報には、例えば、器具や手術セットの保管場所などの情報が含まれているとよい。器具や手術セットの保管場所が記録されていることによって、器具や手術セットの取り出しが容易になる。
【００７４】
このように、各エリアＡ１〜Ａ６によって記録される作業情報は、それぞれ記録される項目が異なる。システム１０の記憶装置１４０には、例えば、各エリアＡ１〜Ａ６の作業情報を記憶するための予め定められたフォーマットのテーブルが用意されているとよい。各エリアＡ１〜Ａ６の作業情報は、エリアＡ１〜Ａ６毎にそれぞれ用意されたテーブルの各フィールドにそれぞれ記憶されるとよい。
【００７５】
図４は、回収エリアＡ２での作業情報を記録したテーブル４２０の例である。図５は、滅菌エリアＡ５での作業情報を記録したテーブル４４０の例である。
【００７６】
（図４）
回収エリアＡ２では、例えば、手術セットの器具がばらばらの状態で手術エリアＡ１から回収される。回収エリアＡ２では、回収場所および作業者を特定し、リーダー１１ｂで器具に付された個体情報を読み取りつつ、回収するとよい。これにより、図４に示されたテーブル４２０のように、セットＩＤ、器具ＩＤ、部品ＩＤ、回収場所、作業者、作業日時に関する各欄４２１〜４２６に情報が入力される。なお、回収エリアＡ２で記録される作業情報の記録は、図４の例に限定されない。回収エリアＡ２で記録される作業情報の記録には、さらに詳細な情報が含まれうる。
【００７７】
滅菌エリアＡ５では、例えば、リーダー１１ｅで袋や容器に付与された個体情報が読み取られることによって、袋や容器に収容された手術セットのセットＩＤや器具の器具ＩＤが特定される。そして、滅菌エリアＡ５では、セットＩＤや器具ＩＤで特定された手術セットや器具に対して必要な滅菌方法や滅菌条件が滅菌処理機に設定される。そして、リーダー１１ｅで袋や容器に付与された個体情報が読みとりつつ、滅菌処理機に手術セットや器具をセットするとよい。例えば、滅菌処理では、適切な滅菌が施されたかインジケータが器具や手術セットを梱包した梱包材に取付けられることがある。この場合、インジケータは、所定の条件で色が変化したりする。滅菌エリアＡ５では、器具や手術セットにインジケータが取付けられるとよい。なお、インジケータは組立エリアＡ４で取り付けられてもよい。また、滅菌処理機から取り出される際も、袋や容器に付与された個体情報がリーダー１１ｅによって読み取られて滅菌処理の終了時刻が記録されるとよい。
【００７８】
これにより、図５に示されたテーブル４４０のように、セットＩＤ、器具ＩＤ、部品ＩＤ、梱包材、滅菌方法、滅菌条件、有効期間、作業者、作業日時に関する各欄４４１〜４４９に情報が入力される。なお、滅菌エリアＡ５で記録される作業情報の記録は、図５の例に限定されない。滅菌エリアＡ５で記録される作業情報の記録には、さらに詳細な情報が含まれうる。滅菌エリアＡ５での作業情報の記録として、例えば、滅菌処理後のインジケータの画像データが含まれていてもよい。
【００７９】
ここで、有効期間の欄４４７には、滅菌処理の効果が有効とされる期間が入力される。
滅菌処理の有効期間は、滅菌方法と滅菌条件とから有効期間が定まるように構成されていてもよい。この場合、滅菌方法と滅菌条件と有効期間との関係が、システム１０のマスターデータとして予め記録されていてもよい。また、滅菌処理の有効期間は、梱包方法と滅菌方法と滅菌条件とから有効期間が定まるように構成されていてもよい。この場合、梱包方法と滅菌方法と滅菌条件と有効期間との関係が、システム１０のマスターデータとして予め記録されているとよい。例えば、梱包方法と、滅菌方法と、滅菌条件とが、滅菌エリアＡ５で入力されると、マスターデータに基づいて有効期間が入力されるように構成されるとよい。
【００８０】
作業日時に関する欄４４９には、例えば、滅菌処理が終わり滅菌処理機から取り出される際に袋や容器に付与された個体情報がリーダー１１ｅによって読み取られた時の時刻が記録されるとよい。
【００８１】
システム１０の処理装置１００には、各エリアＡ１〜Ａ６でのリーダー１１ａ〜１１ｆで読み取られた個体情報および個体情報に関連付けて記憶された作業情報が収集されるように構成されているとよい。これにより、このシステム１０で管理される器具や手術セットの各エリアＡ１〜Ａ６での情報が収集され、一元管理される。そして、例えば、ある特定の器具がいつどのエリアでどのような作業が施されたかの作業情報が時系列に抽出できる。
【００８２】
システム１０の第３記憶部１０３は、器具ＩＤに関連付けて、当該器具ＩＤで特定される器具の作業履歴を記憶するように構成されている。システム１０の第４記憶部１０４は、セットＩＤに関連付けて、当該セットＩＤで特定される手術セットの作業履歴を記憶するように構成されている。
【００８３】
この実施形態では、システム１０の処理装置１００は、各操作端末１３ａ〜１３ｆから各エリアＡ１〜Ａ６で記録された作業情報を収集する。これにより、器具ＩＤに関連付けて、当該器具ＩＤで特定される器具の作業履歴が処理装置１００に記憶される。また、セットＩＤに関連付けて、当該セットＩＤで特定される手術セットの作業履歴が処理装置１００に記憶される。
【００８４】
このように、第３記憶部１０３と第４記憶部１０４は、各操作端末１３ａ〜１３ｆから各エリアＡ１〜Ａ６で記録された作業情報を収集するように構成されているとよい。その結果、当該器具ＩＤで特定される器具の作業履歴を含む情報が、器具ＩＤに関連付けて記憶されるとよい。同様に、当該セットＩＤで特定される手術セットの作業履歴を含む情報が、セットＩＤに関連付けて記憶されるとよい。このように、器具ＩＤに関連付けて記憶される器具の作業履歴は、器具ＩＤ毎に１つのデータベースとして記憶されている必要はない。セットＩＤに関連付けて記憶される手術セットの作業履歴は、セットＩＤ毎に１つのデータベースとして記憶されている必要はない。
【００８５】
システム１０は、処理装置１００に記憶された作業情報から器具ＩＤに基づいて作業情報を抽出し、作業時刻に基づいて順に並べることによって、器具ＩＤで特定される器具の作業履歴が適宜に得られる。また、処理装置１００に記憶された作業情報からセットＩＤに基づいて作業情報を抽出し、作業時刻に基づいて順に並べることによって、セットＩＤで特定される手術セットの作業履歴が適宜に得られる。
【００８６】
図６は、ある器具の作業履歴を抽出したデータのテーブル例を示す図である。図６に示されたテーブル４６０では、器具ＩＤ、エリア（エリアＩＤ）、作業者（ユーザＩＤ）、作業日時、梱包方法、滅菌方法、有効期間の項目４６１〜４６７が順に抽出されて一覧表が形成されている。手術セットについても、図６と同様に作業履歴を抽出することができる。作業履歴の抽出項目は、図６の例に限定されない。また、作業履歴には、各エリアＡ１〜Ａ６で記録された全ての作業時刻が含まれていてもよい。また、作業履歴には、各エリアＡ１〜Ａ６で記録された全ての作業時刻が含まれていなくてもよい。例えば、各エリアＡ１〜Ａ６で記録された作業情報のうち、予め定められた一部の作業情報が抽出されるように構成されていてもよい。
【００８７】
同じ種類の複数の器具がこのシステム１０で管理されている場合は、器具の種類に基づいて、同じ種類の複数の器具の作業履歴を抽出することもできる。図７は、器具の種類に基づいて、同じ種類の複数の器具の作業履歴を抽出したデータのテーブル例である。図７に示されたテーブル４８０では、例えば、手術セットに含まれない単品の手術器具としての複数のクーパーがシステム１０で管理されている場合において、複数のクーパーの作業履歴を抽出した抽出結果である。ここでは、３つのクーパー（器具ＩＤ：ＢＣ１,ＢＣ２,ＢＣ３）がシステム１０に管理されている。図７では、３つのクーパー（器具ＩＤ：ＢＣ１,ＢＣ２,ＢＣ３）の作業履歴が抽出されている。図７に示されたテーブル４８０では、器具ＩＤ、器具の種類、エリア（エリアＩＤ）、作業者（ユーザＩＤ）、作業日時、梱包方法、滅菌方法、有効期間の項目４８１〜４８８が順に抽出されて一覧表が形成されている。
【００８８】
この実施形態では、システム１０の第１処理部２０１は、器具の作業履歴と、予め定められた第１算出式とに基づいて器具の稼働率を得るように構成されている。第２処理部２０２は、手術セットの作業履歴と、予め定められた第２算出式とに基づいて手術セットの稼働率を得るように構成されている。
【００８９】
ここで、器具の稼働率は、例えば、ある期間内に器具が使用された回数で規定される。この実施形態では、手術→回収（振分け）→洗浄→組立（封止）→滅菌→保管→手術で規定されるサイクルをある期間内に何回転したかで規定されうる。何回転したかは、例えば、手術エリアＡ１で使用された回数をカウントしてもよいし、洗浄エリアＡ３で洗浄された回数でカウントしてもよい。このように、器具の稼働率および手術セットの稼働率が得られることによって、手術セットや手術器具がどの程度有効に利用されているかを数値に基づいて判断できる。
【００９０】
ここで、第１処理部２０１は、例えば、稼働率を得る器具Ａを特定するための処理ＳＡ１と、当該器具Ａの稼働率を算出するための期間Ｚ１を設定するための処理ＳＡ２とを含んでいるとよい。そして、第１算出式は、期間Ｚ１に器具Ａが使用された回数Ｍ１を得るように構成されているとよい。
【００９１】
ここで、処理ＳＡ１では、器具Ａが特定される。ここで、器具Ａは器具ＩＤに関連付けられた特定の器具でもよい。この場合、器具Ａの稼働率の演算では、例えば、期間Ｚ１に特定の器具が使用された回数が得られるとよい。また、器具の情報として、器具の種類が記録されている場合には、器具Ａは、器具の種類で特定される同種類の器具が抽出されてもよい。この場合、器具Ａの稼働率の演算では、例えば、同種類の器具が、期間Ｚ１に平均で何回使用されたかが求められるとよい。つまり、期間Ｚ１においてカウントされた同種類の器具が使用された回数を、同種類の器具の数で除して算術平均を得るとよい。このように、処理ＳＡ１で特定される器具Ａは、器具ＩＤで特定される特定の器具に限定されず、任意に設定されうる。
【００９２】
また、処理ＳＡ２では、期間Ｚ１は、直近の６ヶ月や、直近の１２ヶ月などと予め定められた期間が選択できるようにしてもよい。また、「いつ」から「いつ」までというように、期間を任意に入力できるようにしてもよい。また、第１算出式についても、任意に設定されうる。なお、稼働率は、期間Ｚ１の入力によって適宜に変更される。期間Ｚ１が変更されることによって、適宜に、稼働率が変更されるように構成されているとよい。
【００９３】
第２処理部２０２は、稼働率を得る手術セットＢを特定するための処理ＳＢ１と、当該手術セットＢの稼働率を算出するための期間Ｚ２を設定するための処理ＳＢ２とを含んでいる。ここで、第２算出式は、期間Ｚ２に手術セットＢが使用された回数Ｍ２を得るように構成されているとよい。ここでも、手術セットＢは、セットＩＤに関連付けられた特定の手術セットで規定されてもよい。この場合、手術セットＢの稼働率の演算では、例えば、期間Ｚ２に特定の器具が使用された回数が得られるとよい。また、手術セットの情報として、手術セットの種類が記録されている場合には、手術セットＢは、手術セットの種類で特定される同種類の手術セットが抽出されてもよい。この場合、手術セットＢの稼働率の演算では、例えば、同種類の手術セットが、期間Ｚ１に平均で何回使用されたかが求められるとよい。つまり、期間Ｚ１においてカウントされた同種類の手術セットが使用された回数を、同種類の器具の数で除して算術平均を得るとよい。このように、処理ＳＢ１で特定される手術セットＢは、セットＩＤで特定される特定の手術セットに限定されず、任意に設定されうる。期間Ｚ２の設定は、第１処理部２０１の期間Ｚ１の設定に準じて定められうるため、ここでは説明を省略する。
【００９４】
なお、器具Ａを特定するための処理ＳＡ１や、手術セットＢを特定するための処理ＳＢ１は、上記に限定されない。例えば、第１記憶部１０１は、器具ＩＤが付与された器具のうち手術セットを構成する器具には、器具ＩＤに関連付けてセットＩＤが記憶されていてもよい（例えば、図３参照）。この場合、第１処理部２０１は、器具ＩＤが付与された器具のうちセットＩＤが関連付けられた器具ＩＤが抽出され、手術セットを構成する器具の稼働率が得られるように構成されていてもよい。この場合、手術セットに含まれている器具の稼働率が得られる。この場合、器具の稼働率は、例えば、手術セットに含まれている器具の使用回数を、手術セットに含まれている器具の数で除し、手術セットに含まれている器具の平均での稼働率を得るとよい。また、この場合、手術セットに含まれていない器具を抽出することも可能である。そして、手術セットに含まれていない器具の稼働率を得ることもできる。
【００９５】
例えば、第１記憶部１０１には、所属に関する情報が器具ＩＤに関連付けて記憶されていてもよい。また、第２記憶部１０２には、所属に関する情報が前記セットＩＤに関連付けて記憶されていてもよい。この場合、システム１０は、器具、手術セットまたは所属毎に器具または手術セットを抽出するように構成された第３処理部をさらに備えていてもよい。器具ＩＤやセットＩＤに関連付けられた所属に関する情報に基づいて、器具や手術セットを抽出することができる。ここで、所属は、病院や診療科などの情報でありうる。器具や手術セットに対して所属についてそれぞれ複数の項目が設定されうる（図３参照）。この場合、器具の稼働率や手術セットの稼働率は、所属毎に集計されうる。つまり、病院毎の器具の稼働率や、診療科毎の器具の稼働率を得ることができる。このように、病院毎の器具の稼働率や診療科毎の器具の稼働率が得られることによって、例えば、稼働率の低い病院や診療科から稼働率の高い病院や診療科への器具の所属を変更するように運営してもよい。また、この場合、システム１０は、所属毎の器具や手術セットの所有割合を算出するように構成されていてもよい。これにより、病院や診療科が器具や手術セットをそれぞれどの程度所有しているかを知ることができる。これにより、器具や手術セットが効率的に使用されるように全体最適を考慮した運営が容易になる。
【００９６】
第４処理部２０４は、器具の稼働率に基づいて器具を抽出するように構成されている。この場合、第４処理部２０４は、器具の稼働率に基づいて抽出された器具を表示装置１２に表示するように、さらに構成されているとよい。
第５処理部２０５は、手術セットの稼働率に基づいて手術セットを抽出するように構成されている。この場合、第５処理部２０５は、手術セットの稼働率に基づいて抽出された手術セットを表示装置１２に表示するように、さらに構成されているとよい。
【００９７】
例えば、同種の器具や手術セットのうち、稼働率が低い器具や手術セットを優先して使用することによって、使用頻度のバラツキが小さく抑えられる。つまり、保管エリアＡ６において、手術エリアＡ１で使用される器具や手術セットを取り出すときに、同種の器具や手術セットのうち、稼働率が低い器具や手術セットが抽出されて優先して取り出されるようにするとよい。
【００９８】
この場合、保管エリアＡ６が、例えば、器具ＩＤやセットＩＤに基づいて、器具や手術セットを仕分けし、荷受けや取り出しを行うピッキング機構を備えたいわゆる自動倉庫である場合にもこのシステム１０は適用されうる。この場合、器具を取り出すときに、器具の稼働率に基づいて保管されている器具のうち稼働率が低い器具が取り出されるように構成されていてもよい。また、器具の稼働率および手術セットの稼働率が得られるので、一定の期間において、全く使用されない手術セットや手術器具が存在していていることも、その認知が容易になる。つまり、システム１０によって、稼働率が０である器具や手術セットが抽出されることによって、一定の期間において全く使用されない手術セットや手術器具を把握することが容易になる。
【００９９】
この場合、システム１０は、稼働率毎の器具や手術セットの数や未使用率（稼働率が０の割合）などが棒グラフや円グラフで表されるように構成されていてもよい。また、器具や手術セットの稼働率の推移が折れ線グラフで表されてもよい。これにより、稼働率や稼働率の推移が視覚的に把握されるので、稼働率や稼働率の推移の把握が容易になる。また、この場合、システム１０は、病院や診療科などの所属毎や、器具や手術セットの種類毎に集計やグラフが作成されるように構成されていてもよい。
【０１００】
また、第３記憶部１０３で記憶された器具の作業履歴には、器具の滅菌方法と滅菌条件とが含まれているとよい。また、第４記憶部１０４で記憶された手術セットの作業履歴には、手術セットの滅菌方法と滅菌条件とが含まれているとよい。この場合、第５記憶部１０５には、滅菌方法と滅菌条件と滅菌の有効期間とが関連付けて記憶されているとよい。第６処理部２０６は、少なくとも記憶された滅菌方法と滅菌条件とに基づいて、器具または手術セットに施された滅菌の有効期間が得られるように構成されているとよい。
ここで滅菌方法には、例えば、高圧蒸気滅菌（いわゆるオートクレーブ）、乾熱滅菌、火炎滅菌、煮沸消毒、流通蒸気消毒、酸化エチレンガス滅菌（いわゆるＥＯＧ滅菌）、炭酸ガス滅菌、放射線滅菌、ガンマ線滅菌、紫外線殺菌、ホルムアルデヒド消毒などがある。滅菌条件は、これらの滅菌方法で採用される条件を意味する。
【０１０１】
また、梱包方法によって、滅菌の有効期間が異なる場合がありうる。この場合は、梱包方法がさらに考慮されるとよい。ここで、梱包方法は、例えば、梱包材と、封止方法などで規定される。
【０１０２】
第３記憶部１０３で記憶された器具の作業履歴には、器具の梱包方法と滅菌方法と滅菌条件とが記憶されているとよい。第４記憶部１０４で記憶された手術セットの作業履歴には、手術セットの梱包方法と滅菌方法と滅菌条件とが記憶されているとよい。第５記憶部１０５には、梱包方法と滅菌方法と滅菌条件と滅菌の有効期間とが関連付けて記憶されているとよい。第６処理部２０６は、記憶された梱包方法と滅菌方法と滅菌条件とに基づいて、器具または手術セットに施された滅菌の有効期間が得られるように構成されているとよい。器具の梱包方法と滅菌方法と滅菌条件の他にも、滅菌の有効期間に影響する項目がある場合（例えば、保存方法など）には、マスターデータにおいて適宜に条件が追加され、そのような項目も加味して滅菌の有効期間が得られるように構成されているとよい。
【０１０３】
第７処理部２０７は、器具または手術セットの滅菌の有効期間の残期間を算出するように構成されている。例えば、滅菌処理の終了日時を基準として滅菌の有効期間を得て、残期間が算出されるように構成されているとよい。なお、有効期間の残期間の算出方法は、適当な方法が採用されるとよい。第７処理部２０７は、器具または手術セット毎に算出された残期間を表示装置１２に表示するように、さらに構成されていてもよい。また、第７処理部２０７は、さらに残期間に基づいて器具または手術セットを抽出するように構成されていてもよい。この場合、第７処理部２０７は、残期間に基づいて抽出された器具または手術セットを表示装置１２に表示するようにさらに構成されていてもよい。
【０１０４】
この場合、算出された滅菌の有効期間の残期間によって、作業者は器具または手術セットの滅菌の有効期間の残期間を容易に知ることができる。器具または手術セット毎に算出された残期間が、表示装置１２に表示されることによって、作業者は表示装置１２において器具や手術セットの滅菌の有効期間の残期間を確認することができる。
【０１０５】
例えば、器具や手術セットの残期間は、一覧表として表示されてもよい。また、保管エリアＡ６で保管されている器具や手術セットについて、例えば、残期間ごとに円グラフや棒グラフで表示されてもよい。さらに、残期間ごと器具や手術セットの一覧表が表示されるように構成されてもよい。例えば、残期間が０となり、いわゆる滅菌切れとなった器具や手術セットの一覧表を得ることができる。この際、一覧表において、器具や手術セットが滅菌切れとなった日が表示されるとよい。これにより、滅菌切れからの経過日数などが分かる。また、残期間が１月未満の器具や手術セットの一覧表が得られるように構成されてもよい。残期間が１月未満の器具や手術セットは、使用されるべき優先度が高い。なお、残期間が０となり、いわゆる滅菌切れとなった器具や手術セットは、再度、滅菌処理が施されるとよい。この場合、システム１０は、滅菌切れや滅菌切れアラートを出して再滅菌した器材ごとの再滅菌の回数を集計して予め定められたフォーム（ダッシュボードとも称される）によって、表示装置１２ａ〜１２ｇに表示してもよい。ここで、再滅菌が複数回行われる場合は、手術→回収→洗浄→組立→滅菌→保管→再滅菌→保管→再滅菌→のようなフローとなる。この場合、組立後の一回目の滅菌は再滅菌に当たらず、「再滅菌の回数」には含まれない。
【０１０６】
例えば、システム１０は、第３記憶部１０３に記憶された器具の作業履歴に基づいて、再滅菌された器具を抽出するように構成された第１１処理部２１１を備えているとよい。この場合、第１１処理部２１１は、抽出された器具の再滅菌の回数を得るように構成されているとよい。
【０１０７】
また、システム１０は、第４記憶部１０４に記憶された手術セットの作業履歴に基づいて、再滅菌された手術セットを抽出するように構成された第１２処理部２１２を備えていてもよい。この場合、第１２処理部２１２は、抽出された器具の再滅菌の回数を得るように構成されているとよい。
【０１０８】
ここで、再滅菌された器具や手術セットを抽出する処理は、例えば、器具や手術セットの作業履歴に基づいて、手術エリアＡ１で使用されないまま、複数回、所定の期間を空けて滅菌処理が行われている器具や手術セットを抽出するように構成されているとよい。
また、抽出された器具や手術セットの再滅菌の回数が得られた場合、予め定められた回数よりも多く再滅菌されている器具や手術セットがさらに抽出されるように構成されていてもよい。
【０１０９】
これにより、再滅菌の回数によって、器具や手術セットがさらに抽出される。再滅菌の回数が予め定められた回数よりも多い器具や手術セットが抽出されるので、再滅菌の回数が多い器具や手術セットを探す手間が減る。この場合、保管エリアＡ６で記録される作業情報には、器具や手術セットの保管場所の情報が含まれているとよい。この場合、再滅菌の回数が多い器具や手術セットを取り出す手間はさらに減る。さらに、再滅菌ばかりされている器具や手術セットについては、器具や手術セットの数を減らしてもよい。例えば、器具や手術セットの種類毎に、再滅菌ばかりされている器具や手術セットの割合が算出されるようにしてもよい。さらに、再滅菌ばかりされている器具や手術セットの割合に基づいて、器具や手術セットの種類毎に、器具や手術セットの最適な数が算出されるように構成されていてもよい。
【０１１０】
ここでは、再滅菌の回数が予め定められた数よりも多い器具や手術セットの割合を、「再滅菌割合」という。ここで、予め定められた数はシステム１０において予め定められていてもよいし、作業者によって任意に設定されるように構成されていてもよい。予め定められた数が変更されることによって、「再滅菌割合」は、変化する。
【０１１１】
システム１０は、例えば、管理されている器具や手術セットの種類毎に、再滅菌割合が高い器具や手術セットを抽出するように構成されていてもよい。この場合、システム１０は、再滅菌割合が高い順に器具や手術セットが抽出されてもよい。また、再滅菌割合が予め定められた割合以上である器具や手術セットが抽出されてもよい。
【０１１２】
また、再滅菌の回数が多い順に器具や手術セットが除かれると、再滅菌割合が減る。また、器具や手術セットの稼働率が向上したり、再滅菌工数が削減されたりする。
そこで、システム１０は、例えば、器具や手術セットの種類毎に、再滅菌の回数が多い器具や手術セットが除かれた場合について、再滅菌割合を算出するように構成されているとよい。これにより、再滅菌の回数が多い順に器具や手術セットを何個減らすと、器具や手術セットの稼働率がどのように変化するかをシミュレーションしたデータが、システム１０によって提供される。
【０１１３】
システム１０は、再滅菌割合を所定以上とするために、再滅菌の回数が多い器具や手術セットをいくつ除くとよいかを算出するように構成されていてもよい。これにより、システム１０は、再滅菌割合を予め定められた割合以上にするために、いくつ器具や手術セットを減らせばよいかを示すデータが、システム１０によって提供される。
【０１１４】
このように、システム１０によれば、器具や手術セットの種類毎に、器具や手術セットの最適数が得られうる。システム１０は、再滅菌の回数が予め定められた数よりも多い器具や手術セットを抽出したり、再滅菌の回数が予め定められた数よりも多い器具や手術セットの割合を算出したりするように構成されているとよい。そして、実際に、滅菌の回数が多い器具や手術セットの数が減らされることによって、器具や手術セットの稼働率が向上したり、滅菌ばかりされることによって器具や手術セットが劣化するのが防止されたり、再滅菌工数が削減されたりする。
【０１１５】
また、残期間に基づいて器具または手術セットが抽出されるように構成されることによって、例えば、保管エリアＡ６において、残期間が０になっている器具や手術セットを抽出することができる。また、保管エリアＡ６において、手術エリアＡ１で使用される器具や手術セットを選択する際に、残期間が０になっていない器具や手術セットのうち残期間が短いものから順に取り出すことができる。このように残期間に基づいて抽出された器具または手術セットが表示装置１２に表示されることによって、作業者は表示装置１２の画面を確認しつつ、器具や手術セットを取り出すことができる。これによって、作業者が、器具や手術セットを取り違えることを防止できる。さらに、システム１０は、保管エリアＡ６では、器具や手術セットを収容した袋や容器の個体情報をリーダー１１ｆで読み取ることによって、作業者が取り出した器具や手術セットが適切かを判定するように構成されていてもよい。
【０１１６】
また、第１記憶部１０１は、器具ＩＤに関連付けて器具を種類毎に区別する第１区別情報をさらに記憶していてもよい。この場合、システム１０は、第１区別情報に基づいて器具を抽出する第８処理部２０８をさらに備えているとよい。第２記憶部１０２は、器具ＩＤに関連付けて手術セットを種類毎に区別する第２区別情報をさらに記憶していてもよい。この場合、システム１０は、第２区別情報に基づいて手術セットを抽出する第９処理部２０９をさらに備えているとよい。
【０１１７】
ここで、第１区別情報は、器具の種類であり得る。第２区別情報は、手術セットの種類であり得る。同じ種類の器具や手術セットが、複数ある場合に、種類毎に仕分けすることができる。第１区別情報毎に器具を抽出する処理によって、種類毎の器具の稼働率などを得ることができる。また、第２区別情報毎に手術セットを抽出する処理によって、種類毎の手術セットの稼働率などを得ることができる。
【０１１８】
これにより、種類毎の器具の稼働率や、種類毎の手術セットの稼働率などを得ることができる。また、例えば、作業履歴のうち最新の作業情報に基づいて各エリアＡ１〜Ａ６毎に、器具や手術セットが抽出され、仕分けられてもよい。この場合、情報がリアルタイムで更新される場合には、器具や手術セットのステータスが得られる。例えば、修理などのメンテナンス作業にエリアが設定されているような場合には、メンテナンスエリアに属する器具や手術セットが抽出されることで、メンテナンス中の器具や手術セットが抽出される。また、全体のメンテナンス中の割合なども算出されうる。また、保管エリアＡ６の器具や手術セットが抽出し、保管エリアＡ６に保管されている器具や手術セットの平均保管日数が算出されるように構成されてもよい。平均保管日数は、器具や手術セットの種類毎に算出されてもよい。これにより、器具や手術セットの稼働率に準じる指標が得られる。
【０１１９】
ここでシステム１０は、処理装置１００に情報が集約されて所定の処理がされる。各操作端末１３ａ〜１３ｆは、同様に処理装置１００から情報を得て、処理装置１００と同様の処理が行えるようにしてもよい。つまり、操作端末１３ａ〜１３ｆは、それぞれ単独でシステム１０としての機能を奏するように構成されていてもよい。また、操作端末１３ａ〜１３ｆは、処理装置１００と双方向に通信して連携し、処理装置１００で演算された結果を受けて操作端末１３ａ〜１３ｆに所要の情報が表示されるようにしてもよい。つまり、処理装置１００をホストサーバーとするクラウド型システムが構築されてもよい。クラウド型システムによれば、ホストサーバーとしての処理装置１００に双方向に通信可能な状態で接続されたクライアント端末で適宜に必要な情報が得られる。また、例えば、クライアント端末としての操作端末１３ａ〜１３ｆは、カメラ付きのタブレット端末で構成されてもよい。この場合、タブレット端末に備え付けられたカメラが、リーダー１１ａ〜１１ｆの検知部として機能するように構成されてもよい。また、タブレット端末の画面が、表示装置１２ａ〜１２ｇとして機能するように構成されてもよい。
【０１２０】
なお、上述したシステム１０の実施形態では、手術エリアＡ１から保管エリアＡ６に至る全ての作業履歴が処理装置１００に集約されている。しかしながら、稼働率の算出や滅菌の有効期間の残期間の算出などは、算出式や算出方法によっては、必ずしも手術エリアＡ１から保管エリアＡ６に至る全ての作業履歴がなくてもよい。例えば、滅菌エリアＡ５での作業情報と保管エリアＡ６での作業情報とから稼働率や滅菌の有効期間の残期間が算出されうる場合には、他の作業情報は、システム１０において必ずしも管理されていなくてもよい。この場合、その必要な情報として滅菌エリアＡ５での作業情報と保管エリアＡ６での作業情報とが、システム１０において作業履歴として管理されているとよい。
【０１２１】
また、システム１０を構成するコンピュータは１つでもよく、スタンドアローン型のコンピュータに当該システムを構築することもできる。例えば、小規模な病院などでは、手術エリアＡ１から保管エリアＡ６までが省スペースに纏められている場合がある。このような場合は、一台のコンピュータにシステム１０を構築してもよい。
【０１２２】
また、このシステム１０では、複数の病院で使われる手術セットや器具に関する情報を処理装置１００に集約するなどして纏めて管理することが可能である。この場合、各病院に手術エリアＡ１や回収エリアＡ２などが設置される。システム１０では、各エリアＡ１〜Ａ６の操作端末１３ａ〜１３ｆや処理装置１００は、通信ネットワーク１４を通じて双方向通信可能に接続されているとよい。また、クラウドコンピューティング技術により、器具や手術セットの作業履歴や器具や手術セットの稼働率などが、このシステム１０に接続された外部端末２１によって利用可能に提供されるとよい。
【０１２３】
例えば、図１や図２に示されているように、通信ネットワーク１４を通じてシステム１０に外部端末２１が接続されているとよい。また、器具や手術セットの作業履歴や器具や手術セットの稼働率などは、このシステム１０から予め定められた端末に予め定められたタイミングで通信ネットワーク１４を通じて配信されるように構築されてもよい。また、器具や手術セットの作業履歴や器具や手術セットの稼働率などのデータが予め定められたフォーム（ダッシュボードとも称される）で外部端末２１に表示されるように構成されているとよい。
【０１２４】
ここで、外部端末２１は、各エリアＡ１〜Ａ６に設置されない端末でありうる。例えば、手術や回収などの作業を行わない、病院の事務管理、経理、在庫管理、または、器具や手術セットの調達を行う部署などに設置された端末などからシステム１０にアクセスでき、システム１０で管理される器具や手術セットの情報が取得されうる。また、外部端末２１は、スマートフォンやタブレットやラップトップパソコンなど、通信ネットワーク１４に接続可能な携帯端末であり得る。この場合、任意の場所からシステム１０にアクセスすることができ、システム１０で管理される器具や手術セットの情報が取得されうる。
【０１２５】
システム１０は、外部端末２１に対する所要の認証処理や機能を制限処理が適宜に組み込まれていてもよい。この場合、システム１０は、外部端末２１にインストールされているウェブブラウザによって閲覧可能なウエブサイトを用意するように構成されているよい。システム１０は、用意されたウエブサイトを通じて外部端末２１の認証処理が行われたり、外部端末２１からの要求に応じて所定のサービスが提供されたりするように構成されているとよい。
【０１２６】
例えば、図１に示されているように、第３処理部２０３は、通信ネットワーク１４を介して接続された外部端末２１からの要求に応じて、器具の作業履歴、手術セットの作業履歴、器具の稼働率または手術セットの稼働率が、外部端末２１に表示されるように構成されているとよい。この場合、器具、手術セットまたは所属毎に抽出された器具や手術セットについて、器具の作業履歴、手術セットの作業履歴、器具の稼働率または手術セットの稼働率が外部端末２１に表示されるように構成されているとよい。
【０１２７】
この場合、外部端末２１は、ウェブブラウザを通じて、例えば、器具、手術セットまたは所属を指定するように構成されているとよい。また、さらに、外部端末２１では、指定した器具、手術セットまたは所属毎に抽出された、器具の作業履歴、手術セットの作業履歴、器具の稼働率または手術セットの稼働率が表示されるように、システム１０に要求できるように構成されているとよい。
【０１２８】
システム１０の第３処理部２０３は、例えば、外部端末２１からの要求に基づいて、指定された器具、手術セットまたは所属毎に抽出された、器具の作業履歴、手術セットの作業履歴、器具の稼働率または手術セットの稼働率が、ウェブブラウザを通じて外部端末２１に表示されるように構成されているとよい。このような処理は、グラウドコンピューティング技術が適用されることによって具現化されうる。
【０１２９】
システム１０の第４処理部２０４は、例えば、通信ネットワーク１４を介して接続された外部端末２１からの要求に応じて、器具の稼働率に基づいて抽出された器具が、外部端末２１に表示されるように構成されているとよい。
【０１３０】
システム１０の第５処理部２０５は、例えば、通信ネットワーク１４を介して接続された外部端末２１からの要求に応じて、手術セットの稼働率に基づいて抽出された手術セットが、外部端末２１に表示されるように構成されているとよい。
【０１３１】
この場合、例えば、外部端末２１において抽出すべき稼働率が入力されると、システム１０において当該稼働率よりも低いものが抽出されるように構成されているとよい。そして、システム１０において、抽出された器具と、当該器具の稼働率とを含む一覧表が作成されてもよい。さらに、システム１０において作成された一覧表が、外部端末２１に表示されるように構成されてもよい。また、稼働率が０である器具（即ち、一定期間が未使用の器具）が抽出されて、その一覧表が外部端末２１に表示されるように構成されてもよい。この場合、抽出するべき稼働率や稼働率を算出するための期間が、外部端末２１において入力されるように構成されてもよい。外部端末２１からの要求に応じて、手術セットの稼働率に基づいて抽出された手術セットが、外部端末２１に表示される処理についても、同様に構成されうる。
【０１３２】
また、第６処理部２０６は、通信ネットワーク１４を介して接続された外部端末２１からの要求に応じて、器具または手術セットに施された滅菌の有効期間が外部端末２１に表示されるように構成されてもよい。これにより、システム１０によって管理されている器具または手術セットに施された滅菌の有効期間を外部端末２１で確認することができる。
【０１３３】
また、第７処理部２０７は、通信ネットワーク１４を介して接続された外部端末２１からの要求に応じて、器具または手術セットの滅菌の有効期間の残期間が外部端末２１に表示されるように構成されてもよい。これにより、システム１０によって管理されている器具または手術セットの滅菌の有効期間の残期間を外部端末２１で確認することができる。
【０１３４】
また、第７処理部２０７は、通信ネットワーク１４を介して接続された外部端末２１からの要求に応じて、残期間に基づいて抽出された器具または手術セットが外部端末２１に表示されるように構成されてもよい。これにより、システム１０によって管理されている器具または手術セットのうち、残期間に基づいて抽出された器具または手術セットを外部端末２１で確認することができる。
【０１３５】
この場合、器具や手術セットと、器具や手術セットの残期間とを含む一覧表が作成されて、外部端末２１に表示されるように構成されているとよい。例えば、残期間が０の器具や手術セットの一覧表や、残期間が一週間以内の器具や手術セットの一覧表、残期間が１ヶ月以内の器具や手術セットの一覧表が作成されてもよい。また、残期間が０の器具や手術セットの数や割合、残期間が一週間以内の器具や手術セットの数や割合、残期間が１ヶ月以内の器具や手術セットの数や割合が、棒グラフや円グラフで表されたグラフなどが作成されてもよい。また、これらの一覧表やグラフは、例えば、器具や手術セットの所属毎に、あるいは、器具や手術セットの種類毎に作成されるように構成されていてもよい。また、残期間が０の器具や手術セットの数や割合の推移を示すグラフが作成されるように構成されてもよい。
【０１３６】
また、第８処理部２０８は、通信ネットワーク１４を介して接続された外部端末２１からの要求に応じて、第１区別情報に基づいて抽出された器具が外部端末２１に表示されるように構成されてもよい。これにより、システム１０によって管理されている器具のうち、第１区別情報に基づいて抽出された器具を外部端末２１で確認することができる。
【０１３７】
また、第９処理部２０９は、通信ネットワーク１４を介して接続された外部端末２１からの要求に応じて、第２区別情報に基づいて抽出された手術セットが外部端末２１に表示されるように構成されてもよい。これにより、システム１０によって管理されている手術セットのうち、第２区別情報に基づいて抽出された手術セットを外部端末２１で確認することができる。
【０１３８】
また、システム１０は、通信ネットワーク１４を介して接続された外部端末２１からの要求に応じて、器具の作業履歴、手術セットの作業履歴、器具の稼働率または手術セットの稼働率が外部端末２１に表示されるように構成された第１０処理部をさらに備えていてもよい。これにより、システム１０によって管理されている器具や手術セットの作業履歴や稼働率を外部端末２１で確認することができる。
【０１３９】
また、第１１処理部２１１は、通信ネットワーク１４を介して接続された外部端末２１からの要求に応じて、再滅菌された器具が外部端末２１に表示されるように構成されてもよい。また、第１２処理部２１２は、通信ネットワーク１４を介して接続された外部端末２１からの要求に応じて、再滅菌された器具が外部端末２１に表示されるように構成されてもよい。これにより、システム１０によって管理されている器具や手術セットのうち、再滅菌された器具や手術セットを外部端末２１で確認することができる。この場合、再滅菌された器具や手術セットと、器具や手術セットが再滅菌された回数とを含む一覧表が作成されて、外部端末２１に表示されるように構成されているとよい。また、所定期間内に再滅菌された器具や手術セットの割合が、例えば、器具や手術セットの所属毎に、あるいは、器具や手術セットの種類毎に表示されるように構成されてもよい。再滅菌された器具や手術セットの割合は、例えば、棒グラフや円グラフのようなグラフで表示されるように構成されてもよい。また、再滅菌された器具や手術セットの割合の推移がグラフで表示されるように構成されてもよい。
【０１４０】
このようにシステム１０は、システム１０で提供しうる種々のデータが、通信ネットワーク１４を介して接続された外部端末２１からの要求に応じて、外部端末２１に表示されるように構成されうる。システム１０で提供しうる種々のデータは、ここで例示されるものに限らない。システム１０の記憶装置に記憶された情報、システム１０の各種処理によって演算あるいは抽出された情報、あるいは、作成されたグラフや一覧表は、システム１０で提供しうるデータになり得る。
【０１４１】
以上の通りに、ここで提案される手術セットおよび器具の管理システムの一実施形態を種々説明したが、ここで提案される手術セットおよび器具の管理システムは、上述した実施形態に限定されない。また、ここで提案される手術セットおよび器具の管理システムは、種々変更でき、特段の問題が生じない限りにおいて、各構成要素やここで言及された各処理は適宜に省略され、または、適宜に組み合わされうる。
【符号の説明】
【０１４２】
１０  手術セットおよび器具の管理システム
１１ａ-１１ｆ  リーダー
１２ａ-１２ｆ  ディスプレイ
１２ａ-１２ｇ  表示装置
１３ａ-１３ｆ  操作端末
１４  通信ネットワーク
２１  外部端末
１００  処理装置
【図１】
2020003994.tif 000003
【図２】
2020003994.tif 000004
【図３】
2020003994.tif 000005
【図４】
2020003994.tif 000006
【図５】
2020003994.tif 000007
【図６】
2020003994.tif 000008
【図７】
2020003994.tif 000009